(57)【特許請求の範囲】
【請求項１】
リール本体と、
外周部に釣り糸が巻き付けられる筒状の糸巻き胴部と、前記リール本体に回転自在に支持されたスプール軸と、前記糸巻き胴部とスプール軸とを連結する連結部とを有するスプールと、
一端側にハンドルが装着されるとともに前記スプール軸と平行に配置され、前記リール本体に回転自在に支持されたハンドル軸と、
前記ハンドル軸に入力された回転力を前記スプールに伝達するための駆動力伝達機構と、
前記糸巻き胴部の内周部に前記スプール軸とともに回転するように配置された被検出素子と、前記糸巻き胴部の内周部に配置され前記被検出素子の回転を検出する検出センサとを含み、前記スプールの回転数を検出する回転数検出手段と、
を備えた両軸受リール。
【請求項２】
前記スプールの連結部は前記糸巻き胴部の幅方向の中心位置に対して一方向側に偏位して配置されている、請求項１に記載の両軸受リール。
【請求項３】
前記ハンドル軸は、前記ハンドルが装着された側と逆側の端部が前記スプールの糸巻き胴部の内周部に位置するように配置されている、請求項１又は２に記載の両軸受リール。
【請求項４】
前記スプール軸を前記リール本体に支持するための１対の軸受をさらに有し、
前記１対の軸受のうちの前記ハンドル側に位置する軸受は、前記スプールの糸巻き胴部の内周部に配置されている、
請求項３に記載の両軸受リール。
【発明の詳細な説明】
【０００１】
【発明の属する技術分野】
本発明は、両軸受リール、特に手巻き式の両軸受リールに関する。
【０００２】
【従来の技術】
両軸受リールは、リール本体と、このリール本体に回転自在に支持されたスプールとを有している。スプールはその中心に回転軸（スプール軸）を有している。また、スプール軸と平行に、ハンドル軸がリール本体に回転自在に設けられており、ハンドル軸の一端側にはハンドルが装着されている。ハンドルと、スプールとの間には、ハンドルの回転をスプールに伝達するための駆動力伝達機構が設けられている。駆動力伝達機構は、ドラグ機構、回転力伝達機構、クラッチ機構を有している。
【０００３】
このような両軸受リールでは、ハンドルを回転操作すると、この回転はドラグ機構及び回転力伝達機構を介してクラッチ機構に伝達される。クラッチがオン（動力伝達状態）であれば、ハンドルの回転はスプールに伝達され、これによりスプールが回転してスプール外周に釣り糸が巻き付けられる。
【０００４】
【発明が解決しようとする課題】
両軸受リールにおいて、スプールの外径を小さくすると、リール全体の高さ寸法を抑えられるという利点がある。しかし、スプールの外径が小さい場合は、釣り糸に強い巻き癖がつきやすく、釣り糸を繰り出した際に、釣り糸が釣り竿にからまったり、あるいは釣り糸の釣り糸ガイドに対する接触抵抗が大きくなるという問題がある。また、巻き上げ速度が遅いという問題もある。
【０００５】
そこで、巻き上げ速度を上げたい、あるいは釣り糸の巻き癖を少なくしたい場合には、スプールの大径化が図られる。しかし、スプールの大径化は、リールの全体の大型化を招く。特に、従来の構造のままスプールの大径化を図ると、スプール軸芯と釣り竿軸芯との距離が増加する結果、釣り竿取付部からハンドルまでの距離も長くなり、ハンドル操作時において、釣り竿を竿軸芯回りに回転させるモーメントが大きくなり、操作性の悪化を招く。
【０００６】
本発明の課題は、スプールの大径化を図りながら、スプール軸方向の長さの増加を抑えることにある。
【０００７】
本発明の別の課題は、両軸受リールの横幅方向の小型化を図ることにある。
【０００８】
【課題を解決するための手段】
発明１に係る両軸受リールは、リール本体と、スプールと、ハンドル軸と、駆動力伝達機構と、回転数検出手段とを備えている。スプールは、外周部に釣り糸が巻き付けられる筒状の糸巻き胴部と、リール本体に回転自在に支持されたスプール軸と、糸巻き胴部とスプール軸とを連結する連結部とを有している。ハンドル軸は、一端側にハンドルが装着されるとともにスプール軸と平行に配置され、リール本体に回転自在に支持されている。駆動力伝達機構はハンドル軸に入力された回転力をスプールに伝達するための機構である。回転数検出手段は、糸巻き胴部の内周部にスプール軸とともに回転するように配置された被検出素子と、糸巻き胴部の内周部に配置され被検出素子の回転を検出する検出センサとを含み、スプールの回転数を検出する手段である。
【０００９】
特に、表示部を備えた両軸受リールでは、スプールの回転数を検出して仕掛けの水深等を表示部に表示するようにしている。このために、スプール軸の回転数を検出する素子及びセンサ等の構成部品がスプール軸の回りに設けられている。従来の両軸受リールでは、これらの部品がスプールの軸方向の外側に配置されており、このためスプール軸方向の長さ、すなわち横幅方向の長さが長くなる。比較的大型の両軸受リールでは、スペースに余裕があるので特に問題ないが、リール全体を小型化しようとする場合には、これらの構成部品が横幅方向の小型化を妨げる原因となっている。
【００１０】
そこでこの発明１では、スプールの糸巻き胴部内周のスペースを利用して被検出素子及び検出センサを配置し、これにより横幅方向の長さが長くなるのを抑えている。
【００１１】
発明２に係る両軸受リールでは、スプールの連結部は糸巻き胴部の幅方向の中心位置に対して一方向側に偏位して配置されている。
【００１２】
ここでは、連結部が一方向側に偏位して配置されているので、多方向側により大きなスペースを確保でき、被検出素子及び検出センサの配置が容易になる。
【００１３】
発明３に係る両軸受リールは、発明１又は２の両軸受リールにおいて、ハンドル軸は、ハンドルが装着された側と逆側の端部がスプールの糸巻き胴部の内周部に位置するように配置されている。
【００１４】
ここでは、ハンドル軸の内側の端部、すなわちハンドルが装着された側と逆側の端部が、スプールの糸巻き胴部の内周部に位置するように配置されているので、スプールを大径化しても、それに伴うスプール軸方向への伸び（寸法の大型化）を抑えることができる。
【００１５】
発明４に係る両軸受リールは、発明３の両軸受リールにおいて、スプール軸をリール本体に支持するための１対の軸受をさらに有し、１対の軸受のうちのハンドル側に位置する軸受は、スプールの糸巻き胴部の内周部に配置されている。ここでは、糸巻き胴部の内周部に確保された空間に軸受を配置でき、軸方向の寸法の短縮化を図れる。
【００１６】
【発明の実施の形態】
図１は本発明の一実施形態である手巻き式の両軸受リールの断面構成を示している。
【００１７】
この両軸受リールは、主として、リール本体１と、リール本体１の側方に配置されたハンドル２と、ハンドル２のリール本体１側に配置されたドラグ調整用のスタードラグ３と、カウンタケース４とを備えている。
【００１８】
リール本体１は、一方側のカバーと一体形成されたフレーム５と、フレーム５の他方側を覆うように設けられたカバー６とを有している。フレーム５は、一方側のカバーを兼ねる側板部７と、側板部７に対向して配置された他方側の側板８と、側板部７と側板８とを連結する連結部９，１０とを有している。側板部７及び連結部９，１０が一体形成され、側板８は図示しないビスにより連結部９，１０に固定されている。
【００１９】
フレーム５内にはスプール１５が設けられている。スプール１５は、外周部に釣り糸が巻き付けられる筒状の糸巻き胴部１６と、フレーム５に回転自在に支持されたスプール軸１７と、スプール軸１７に固定されたボス部１８と、糸巻き胴部１６とボス部１８とを連結する連結部１９とを有している。糸巻き胴部１６の両端には、外周方向に突出する環状のフランジ部１６ａ，１６ｂが設けられている。スプール軸１７は、一端側が軸受２０によってフレーム５の側板部７に支持され、他端側が軸受２１によって側板８に支持されている。このスプール軸１７の他端側は、カバー６側に延びて設けられている。ボス部１８はスプール軸１７に相対回転不能に固定されている。なお、ボス部１８の外周部には磁石２２がスプール軸１７とともに回転するように固定されており、さらにその外周側にはスプールの回転数を検出するためのリードスイッチ２３が設けられている。これらの磁石２２及びリードスイッチ２３は、図から明らかなように、糸巻き胴部１６の内周部に位置している。
【００２０】
フレーム５の側板８とカバー６との間には、先端にハンドル２が固定されたハンドル軸２５と、ハンドル軸２５に入力された回転力をスプール１５に伝達するための駆動力伝達機構２６とが設けられている。
【００２１】
ハンドル軸２５は、スプール軸１７と平行に配置され、一端部がブッシュ２７を介して側板８に回転自在に支持されるとともに他端側は軸受２８を介してカバー６に回転自在に支持されている。また、ハンドル軸２５のハンドル２が装着された側と逆の一端部はスプール１５の糸巻き胴部１６の内周部に位置している（詳細は後述）。
【００２２】
駆動力伝達機構２６は、ハンドル軸２５の外周に設けられたドラグ機構３０と、ハンドル軸２５の外周に設けられたメインギア３１及びスプール軸１７の外周に設けられたピニオンギア３２を含む回転伝達機構３３と、ピニオンギア３２の回転をスプール軸１７に伝達（クラッチオン）あるいは遮断（クラッチオフ）するためのクラッチ機構３４とを有している。ここでは、スタードラグ３を操作することによってドラグ力を調整でき、また図示しないクラッチレバーを操作することによってクラッチ機構３４をオン、オフすることができる。
【００２３】
なお、カウンタケース４は、側板８とカバー６との間の上部を覆うように設けられており、内部には、釣り糸の繰り出し長さによって仕掛けの水深を演算する演算部と、演算結果を表示する水深表示部とが設けられている。釣り糸の繰り出し長さ等は、スプール１５の回転を検出する磁石２２とリードスイッチ２３とにより検出される。
【００２４】
次に、スプール１５の大きさに関連する構成及びハンドル軸２５との関連部の構成について詳細に説明する。
【００２５】
図２に示すように、ハンドル軸２５の内側の一端２５ａは、スプール１５のフランジ部１６ｂの外側の端面１６ｃからスプール１５の内部に向かって距離Ａだけ入り込んでいる。また、スプール軸１７を支持する１対の軸受２０，２１のうちハンドル２側の軸受２１は、その内側の端面２１ａがスプール１５のフランジ部１６ｂの外側端面１６ｃよりも距離Ｂだけ入り込んで配置されている。さらに、１対の軸受２０，２１間の中心間距離Ｗに対する糸巻き胴部１６の胴径Ｄの比は、この実施形態では約２．０となっている。
【００２６】
このような構成では、スプール１５を大型化（大径化）しても、スプール軸方向において長くなるのを抑えることができる。なお、１対の軸受２０，２１間の中心間距離Ｗに対する糸巻き胴部１６の胴径Ｄの比は、１．０〜３．０とするのが望ましい。１．０未満では軸方向の短縮化が図れないし、３．０を越えると、リール全体の高さ方向の寸法が大きくなりすぎて、この両軸受リールを釣り竿に装着した際に不安定となる。
【００２７】
また、この実施形態では、スプール軸１７とハンドル軸２５との中心間距離Ｃに対するスプール１５の糸巻き胴部１６の胴径Ｄの比は、約３．０に設定されている。このような構成では、スプール１５を大径化し、かつ前述のように糸巻き胴部１６の内周部にハンドル軸２５を配置することが可能である。なお、両軸１７，２５間の中心間距離Ｃに対する糸巻き胴部１６の胴径Ｄの比は、２．０〜４．０とするのが好ましく、２．０未満ではハンドル軸２５の端部をスプール１５の内部にまで入り込ませることが困難となり、また４．０を越えるとリール全体の高さ方向の寸法が大きくなりすぎて釣り竿に装着した際に不安定となる。
【００２８】
なお、スプール１５において、連結部１９は、糸巻き胴部１６の幅方向（軸方向）の中心位置に対して、ハンドル２から離れる側に距離Ｅだけ偏位して配置されている。これにより、前述のように、ハンドル軸２５の軸端をスプール１５の内部にまで入り込ませることが容易になり、また糸巻き胴部１６の内周部にスプール回転数検出用の磁石２２やリードスイッチ２３を配置することが容易になる。
【００２９】
次に、この両軸受リールの動作を簡単に説明する。
【００３０】
釣り糸を巻き取る際には、ハンドル２を糸巻き取り方向に回す。ハンドル２の回転は、ハンドル軸２５に伝達され、さらにドラグ機構３０を介してメインギア３１及びピニオンギア３２に伝達される。ピニオンギア３２の回転は、クラッチ機構３４を介してスプール軸１７に伝達され、これにより糸巻き胴部１６が回転して釣り糸が巻き取られる。
【００３１】
一方、釣り糸を繰り出す場合は、図示しないクラッチレバーを操作してクラッチ機構３４をオフする。これにより、スプール軸１７とピニオンギア３２との係合が解除され、スプール１５はハンドル２等と関係なく回転可能な状態になる。したがって、仕掛け等の重さによってスプール１５が回転して釣り糸が繰り出される。
【００３２】
また、スプール１５の回転数は磁石２２及びリードスイッチ２３により検出され、カウンタケース４内部の演算部によって仕掛けの水深が演算される。
【００３３】
このような釣り操作において、本実施形態では、スプール１５が大径化されているので、釣り糸を素早く巻き取ることが可能になる。また、釣り糸の巻き癖が付きにくく、糸絡みが少なくなり、また釣り糸ガイドとの接触抵抗を少なくできる。
【００３４】
さらに、スプール１５を大径化しているにもかかわらず、スプール軸方向の寸法を抑えているので、リール全体が大型化するのを避けることができる。また、軸方向へ伸びるのを抑えているので、ハンドル２と釣り竿の軸芯との距離が比較的短くなり、ハンドル操作時に釣り竿の軸芯回りのモーメントが大きくなるのを抑えることができる。
【００３５】
【発明の効果】
以上のように本発明では、スプールの回転数検出手段をスプールの糸巻き胴部内周部に配置しているので、横幅方向の小型化を図ることができる。また、スプールの大径化を図りながら、スプール軸方向の長さの増加を抑えることができる。
【図面の簡単な説明】
【図１】  本発明の一実施形態による両軸受リールの断面構成図。
【図２】  スプールの寸法関係を示すための拡大部分図。
【符号の説明】
１  リール本体
２  ハンドル
１５  スプール
１６  糸巻き胴部
１７  スプール軸
１８  ボス部
１９  連結部
２０，２１  軸受
２２  磁石
２３  リードスイッチ
２５  ハンドル軸
２６  駆動力伝達機構
【図１】
0003854726.tif 000002
【図２】
0003854726.tif 000003